(57)【要約】  【課題】  デジタル電子スチールカメラ本体、及びカメラ付き携帯電話本体において原画像を編集する機能を有する利便性の高い撮像装置を提供する。  【解決手段】  被写体像を光電変換して静止画像信号を生成し、静止画の表示と静止画像データを記憶するメモリを備えた撮像装置において、メモリカード１４に記憶されている静止画像データから画像編集の対象画像データを読み出し、その読み出した画像データの画像の輪郭部分を抽出して輪郭強調処理してエッジ枠画像を表示させるエッジ抽出部２０と、このエッジ枠画像の輪郭部分以外の領域の指定と、その指定領域に指定色により着色する塗り絵機能部２２とからなる撮像装置。  【選択図】  図１
2006074602.tif 000002
【特許請求の範囲】
【請求項１】
少なくとも被写体像を光電変換して静止画の撮像信号を生成する撮像手段、この撮像手段にて生成した撮像信号により静止画像を表示する表示手段、及び前記撮像手段にて生成された撮像信号を画像データに変換して記憶メモリに記憶させる画像データ生成手段を備えた撮像装置において、
前記記憶メモリに記憶されている複数の画像データから編集画像を選択し、その選択した編集画像を前記表示手段に表示させる編集画像選択手段と、
この編集画像選択手段により選択された編集画像の輪郭部分を抽出し、その抽出した輪郭部分を強調処理して前記表示手段に表示させる輪郭抽出手段と、
を具備することを特徴とした撮像装置。
【請求項２】
少なくとも被写体像を光電変換して静止画の撮像信号を生成する撮像手段、この撮像手段にて生成した撮像信号により静止画像を表示する表示手段、及び前記撮像手段にて生成された撮像信号を画像データに変換して記憶メモリに記憶させる画像データ生成手段を備えた撮像装置において、
前記記憶メモリに記憶されている複数の画像データから編集画像を選択し、その選択した編集画像を前記表示手段に表示させる編集画像選択手段と、
この編集画像選択手段により選択された編集画像の輪郭部分を抽出し、その抽出した輪郭部分を強調処理して輪郭枠画像を前記表示手段に表示させる輪郭部抽出手段と、
この輪郭部抽出手段により前記表示手段に表示されている輪郭枠画像の輪郭部分以外の領域に着色する塗り絵手段と、
を具備することを特徴とした撮像装置。
【請求項３】
前記塗り絵手段は、前記表示手段に表示されている輪郭枠画像の輪郭部分以外の領域のうち、着色領域を指定する着色領域指定手段と、その着色領域指定手段により指定した着色領域に着色する色を選択する色選択手段からなることを特徴とした請求項２記載の撮像装置。
【請求項４】
前記色選択手段は、複数の色情報を有し、その複数の色情報を前記表示手段に色情報パレットとして表示すると共に、その色情報パレットから着色する色を選択することを特徴とした請求項３に記載の撮像装置。
【請求項５】
前記色選択手段は、前記撮像手段により撮像した静止画像の任意の位置の色情報を採取するために、前記表示手段に表示されている静止画像上の色採取位置を指定して表示させる採取位置表示手段と、この採取位置表示手段により指定された色採取位置の色情報を取り込んみ記憶させる色情報取り込み手段とを備えていることを特徴とした請求項３に記載の撮像装置。
【請求項６】
前記表示手段はタッチパネルからなり、前記表示手段に表示された複数の静止画像から編集画像の対象画像をタッチパネルを介して選択する前記編集画像選択手段と、前記表示手段に表示されている編集画像の輪郭枠画像から着色領域をタッチパネルを介して選択する前記塗り絵手段の着色領域指定手段と、及び前記表示手段に表示された色情報パレットから着色する色をタッチパネルを介して選択する前記塗り絵手段の色選択手段を有していることを特徴した請求項２乃至４のいずれに記載の撮像装置。
【発明の詳細な説明】
【技術分野】
【０００１】
本発明は、静止画の撮像装置に係り、特に撮像した静止画像の輪郭強調、及び原画像と異なる色を着色する画像編集が可能な撮像装置に関する。
【背景技術】
【０００２】
近年、静止画像の撮像装置であるデジタル電子スチールカメラが著しく普及発展し、かつ、このデジタル電子スチールカメラの技術が携帯電話に採用されたカメラ付き携帯電話の普及も著しい。
【０００３】
このデジタル電子スチールカメラ及びカメラ付き携帯電話等の静止画撮像装置（以下、単にデジタルカメラと称する）により撮像された撮像情報は、印刷機器によるハードコピーとしての印刷、テレビ受像機等の映像機器による拡大表示、及びパーソナルコンピュータを用いて画像の編集やＣＤ−ＲＯＭ等の記録媒体へのコピー保管等が可能である。
【０００４】
このデジタルカメラで撮像した静止画像や、あるいは、パーソナルコンピュータ（以下、パソコンと称する）で編集した画像を印刷機器を用いてハードコピーとして印刷する際に、撮像及び編集された原画像と同等の色彩による印刷が望まれる。しかし、デジタルカメラまたはパソコンと印刷機器の色変換仕様の相違などから撮像及び編集された色彩に一致する色彩による印刷ができないこともある。
【０００５】
このために、例えば、特許文献１に提案されているように、デジタルカメラまたはパソコンと印刷機器の間に色変換画像処理装置を設けている。この色変換画像処理装置は、デジタルカメラまたはパソコンから入力された画像データを画素毎に分析して複数の特徴点を抽出し、この抽出された複数の特徴値と設定された色変換特性量とから変換係数を演算し、この演算された変換係数列によりデジタルカメラまたはパソコンからの画像データを変換して印刷機器に出力するものである。
【特許文献１】特開平７−１１１６００号公報
【発明の開示】
【発明が解決しようとする課題】
【０００６】
上記特許文献１に提案されている色変換画像処理装置は、デジタルカメラで撮像した静止画像、あるいはパソコンで編集生成した画像を印刷機器においてハードコピー印刷する際に、デジタルカメラの撮像画像やパソコンの生成画像の色変換情報と、印刷機器の色変換情報の相違によるハードコピーの印刷色彩の相違をユーザの簡単な操作により希望する色変換を選択できるものである。この色変換画像処理装置を用いることにより、ユーザが求める色彩による撮像画像あるいは編集画像の印刷が可能となる。
【０００７】
また、デジタルカメラで撮像した静止画像の画像データをパソコンに転送し、そのパソコンの機能を用いて、画像の色編集を行うことも可能である。
【０００８】
しかし、近年のデジタルカメラの利便性と操作の安易性から、デジタルカメラで撮像した静止画像を、デジタルカメラ本体において編集できることが望まれるようになっている。例えば、撮像した静止画像の輪郭部分を強調してメリハリのある画像、色ノイズを除去した画像、あるいは静止画像の一部や全体をユーザが好む色に着色して原撮像画像と異なる画像等に編集する機能を有するデジタルカメラの出現が望まれている。
【０００９】
特に、デジタルカメラ機能を内蔵したカメラ付き携帯電話は、安易に撮影が可能であり、撮影された静止画像を携帯電話本体において、画像編集が可能となるとカメラ付き携帯電話の利便性が一層向上する。
【００１０】
本発明は、このように事情に鑑み、デジタル電子スチールカメラ本体、及びカメラ付き携帯電話本体において原画像の編集機能を有する利便性の高い撮像装置を提供することを目的としている。
【課題を解決するための手段】
【００１１】
本発明の撮像装置は、少なくとも被写体像を光電変換して静止画の撮像信号を生成する撮像手段、この撮像手段にて生成した撮像信号により静止画像を表示する表示手段、及び前記撮像手段にて生成された撮像信号を画像データに変換して記憶メモリに記憶させる画像データ生成手段を備えた撮像装置において、前記記憶メモリに記憶されている複数の画像データから編集画像を選択し、その選択した編集画像を前記表示手段に表示させる編集画像選択手段と、この編集画像選択手段により選択された編集画像の輪郭部分を抽出し、その抽出した輪郭部分を強調処理して前記表示手段に表示させる輪郭抽出手段と、を具備することを特徴としている。
【００１２】
本発明の撮像装置は、少なくとも被写体像を光電変換して静止画の撮像信号を生成する撮像手段、この撮像手段にて生成した撮像信号により静止画像を表示する表示手段、及び前記撮像手段にて生成された撮像信号を画像データに変換して記憶メモリに記憶させる画像データ生成手段を備えた撮像装置において、前記記憶メモリに記憶されている複数の画像データから編集画像を選択し、その選択した編集画像を前記表示手段に表示させる編集画像選択手段と、この編集画像選択手段により選択された編集画像の輪郭部分を抽出し、その抽出した輪郭部分を強調処理して輪郭枠画像を前記表示手段に表示させる輪郭部抽出手段と、この輪郭部抽出手段により前記表示手段に表示されている輪郭枠画像の輪郭部分以外の領域に着色する塗り絵手段と、を具備することを特徴としている。
【００１３】
また、本発明の撮像装置の前記塗り絵手段は、前記表示手段に表示されている輪郭枠画像の輪郭部分以外の領域のうち、着色領域を指定する着色領域指定手段と、その着色領域指定手段により指定した着色領域に着色する色を選択する色選択手段からなることを特徴としている。
【発明の効果】
【００１４】
本発明の撮像装置は、撮影した画像の輪郭強調によるメリハリのある画像への編集と、かつ、輪郭部分以外の領域を好みの色に着色する画像編集が可能となり、撮像装置の利便性が向上する。
【発明を実施するための最良の形態】
【００１５】
以下、図面を参照して本発明の実施の形態について詳細に説明する。本発明の一実施形態の撮像装置について、図１乃至図６を用いて説明する。
【００１６】
なお、本発明の撮像装置は、静止画像の撮影を主体とするデジタル電子スチールカメラ、及び静止画像の撮影を主体とするカメラ付き携帯電話のいずれにも採用可能である。従って、本発明の実施形態の説明においては、デジタル電子スチールカメラ（以下、デジタルカメラと称する）を例として説明する。
【００１７】
本発明の一実施形態の撮像装置であるデジタルカメラの概略構成について図１を用いて説明する。図１は、本発明に係るデジタルカメラの画像編集の機能を主体とした構成を示している。
【００１８】
本発明の一実施形態であるデジタルカメラ１０は、撮像レンズを通して結像した被写体像を光電変換して撮像信号を生成する図示してない固体撮像素子と、その固体撮像素子からのアナログ撮像信号をデジタル撮像信号に変換する図示してないアナログ／デジタル変換器（Ａ／Ｄ変換器）等からなる画撮像手段からのデジタル撮像信号を基に各信号処理を行うカメラ信号処理部１１、ＪＰＥＧ／ＭＰＥＧ方式の圧縮符号化と伸張復号化を行うＪＰＥＧ／ＭＰＥＧ部１２、画像データを一時記憶するメモリ１３、画像データを記憶するメモリカード１４、画像データを復調するビデオ信号処理部１５、液晶パネル（ＬＣＤ）１７の駆動を制御するＬＣＤドライバー１６、ＴＶモニタ１８、マイクロプロセッサ（ＣＰＵ）１９、エッジ抽出部２０、ユーザ色指定部２１、及び塗り絵機能部２２からなっている。
【００１９】
カメラ信号処理部１１は、撮像レンズ、固体撮像素子、及びＡ／Ｄ変換部からなる撮像手段からのデジタル撮像信号をデジタル的に信号処理して輝度信号及び色信号のデジタル画像信号を生成する。
【００２０】
ＪＰＥＧ／ＭＰＥＧ部１２は、カメラ信号処理部１１からのデジタル画像信号をＪＰＥＧあるいはＭＰＥＧ方式による圧縮符号化して圧縮画像データを生成したり、あるいは、圧縮画像データを伸張復号させる。なお、静止画像は、ＪＰＥＧ方式により圧縮符号化され、動画像は、ＭＰＥＧ方式により圧縮符号化される。
【００２１】
メモリ１３は、カメラ信号処理部１１、ＪＰＥＧ／ＭＰＥＧ部１２、及び他の各機能部において生成されたデジタル映像信号及び圧縮画像データ等を一時記憶する。
【００２２】
メモリカード１４は、ＪＰＥＧ／ＭＰＥＧ部１２において生成された圧縮画像データを記憶する着脱自在な不揮発性のメモリである。
【００２３】
ビデオ信号処理部１５は、メモリ１３に記憶されているデジタル画像信号、伸張復号されたデジタル画像信号、あるいは後述する画像編集するデジタル画像信号を復調して、液晶パネル（以下、ＬＣＤと称する）１７、あるいはＴＶモニタ１８に撮像画像、あるいは編集画像を表示させる映像信号を生成する。
【００２４】
なお、このビデオ信号処理部１２は、撮像信号の復調以外に、ＬＣＤ１７に撮像画像と共に各種操作モードや入力情報を示す各種文字、図形等を表示させるオンスクリーン表示信号も生成する。
【００２５】
ＬＣＤドライバー１６は、ビデオ信号処理部１５からの映像信号の基で、ＬＣＤ１７の駆動を制御して撮像画像やオンスクリーン表示を行う。なお、ＬＣＤ１７は、デジタルカメラ１０の背面部に設けられており、撮影中の画像、あるいは撮影済みの画像を表示するようになっている。また、ＴＶモニタ１８は、デジタルカメラ１０に接続自在で、メモリカード１４に記憶されている静止画像を表示するために用いられる。
【００２６】
マイクロプロセッサ（ＣＰＵ）１９は、本発明のデジタルカメラ１０の各種機能部の駆動を制御する。
【００２７】
エッジ抽出部２０は、撮像された静止画像の輪郭部分を抽出し、その輪郭部分の強調処理を行う輪郭抽出手段である。
【００２８】
ユーザ色設定部２１は、撮像画像から色情報を取り込み記憶すると共に、撮像画像に着色する複数の色情報を有している色選択手段である。
【００２９】
塗り絵機能部２２は、編集画像の指定された領域に指定された色を着色させる塗り絵手段である。
【００３０】
このような構成のデジタルカメラ１０は、図示していない電源スイッチがオンして、デジタルカメラ１０の各機能を駆動させて通常の撮影時において、撮像手段からのデジタル撮像信号は、カメラ信号処理部１１においてデジタル画像信号に変換されて、メモリ１３に一時記憶させると共に、そのデジタル撮像信号をビデオ信号処理部１５において復調されて、ＬＣＤドライバー１６を介してＬＣＤ１７に撮像画像として表示させる。この状態において、図示していないシャッタボタンが操作されると、そのシャッタボタンを操作した時点の静止画像のデジタル撮像信号が取り込まれて、カメラ信号処理部１１において、デジタル静止画像信号に変換される。このデジタル静止画像信号は、ＪＰＥＧ／ＭＰＥＧ部１２において、圧縮符号化処理されて圧縮画像データに変換されて、メモリ１３を介して、メモリカード１４に記憶される。このメモリーカード１４に記憶された圧縮画像データと同じデジタル静止画像信号は、ビデオ信号処理部１５において、復調されて、ＬＣＤドライバー１６を介して、ＬＣＤ１７に撮像静止画像として表示される。
【００３１】
また、メモリカード１４に記憶された圧縮画像データを読み出して再生表示させる際には、メモリカード１４から読み出した圧縮画像データをメモリ１３に一時記憶させ、その圧縮画像データをＪＰＥＧ／ＭＰＥＧ部１２により伸張復号化し、その伸張復号化した画像データをビデオ信号処理部１５において復調して、ＬＣＤドライバー１６を介してＬＣＤ１７に撮像静止画像として表示させる。あるいは、ビデオ信号処理部１５において、ＴＶモニタ１８に対応する映像信号に復調してＴＶモニタ１８に撮像静止画像として表示させる。
【００３２】
このようなデジタルカメラ１０において、本発明の特徴である静止画像の塗り絵機能について、図２のフローチャートと、図４乃至図６の静止画像の例を用いて説明する。
【００３３】
デジタルカメラ１０により複数の静止画像を撮影してメモリカード１４にその圧縮画像データが記録されると、ユーザは、図示していない各種操作モードの選択ボタンを用いて、ＣＰＵ１９に対して、撮像した静止画像の表示モードの動作を指示する（ステップＳ１１）。このステップＳ１１の撮像した静止画像の表示モードの動作指示により、ＣＰＵ１９は、メモリカード１４に記憶されている複数の圧縮画像データをメモリ１３に読み出し、その読み出した複数の圧縮画像データそれぞれをＪＰＥＧ／ＭＰＥＧ部１２において伸張復号化処理する。その伸張復号化された複数のデジタル画像信号は、ビデオ信号処理部１５により復調されて、ＬＣＤドライバー１６を介して、ＬＣＤ１７に複数の静止画像を表示させる。なお、ビデオ信号処理部１５において復調した複数の撮像静止画像をＴＶモニタ１８に出力させて、ＴＶモニタ１８に表示させることもできる。
【００３４】
このステップＳ１１において、ＬＣＤ１７に表示された複数の撮像静止画像から編集する単一の静止画像を選択し、その選択した単一の静止画像をＬＣＤ１１に表示させる（ステップＳ１２）。つまり、撮影済みの複数の静止画像から図４に示すように画像編集する静止画像４１をＬＣＤ１７に表示させる編集画像選択手段である。
【００３５】
なお、ステップＳ１１のＬＣＤ１７に表示する複数の静止画像は、各静止画像のサイズを縮小させて、その縮小した複数の静止画像を同時にＬＣＤ１７に表示させる一覧表示、あるいは、複数の静止画像をボタン操作により順次ＬＣＤ１７に表示させる順次表示を行わせる。このＬＣＤ１７に表示された一覧表示、あるいは、順次表示から、ステップＳ１２の画像編集の対象となる静止画像を選択する。
【００３６】
ステップＳ１２において選択されＬＣＤ１７に表示されている画像編集する静止画像に対して画像編集するために、デジタルカメラ１０の操作モードの選択ボタンを操作して、ＣＰＵ１９に対して画像編集モードを駆動させる（ステップＳ１３）。この画像編集モードの中から更に塗り絵モードを選択して塗り絵手段である塗り絵機能部２２を駆動させる（ステップＳ１４）。
【００３７】
このステップＳ１４の塗り絵モードである塗り絵機能部２２が駆動されると、前記ステップＳ１２において、選択した画像編集する静止画像データのコピーを作成する（ステップＳ１５）。その画像編集する静止画像データのコピーの作成は、画像編集する原静止画像データに後述する塗り絵処理を施すと塗り絵処理後の編集画像データに置き換えられて、原静止画像データが失われることを防止するためである。従って、後述する塗り絵処理を行う静止画像データは、原静止画像データ、あるいはコピーした静止画像データのいずれかを用いる。
【００３８】
前記ステップＳ１５において、編集画像の静止画像の原静止画像データ、あるいは原静止画像データのコピーのいずれかを用いて、輪郭部抽出手段であるエッジ抽出部２０を駆動させて、編集画像の輪郭（エッジ）部分を抽出する画像エッジ抽出処理を行う（ステップＳ１６）。
【００３９】
このステップＳ１６の画像エッジ抽出処理は、図４に示した画像編集する静止画像４１の輝度信号、あるいは色信号を用いて画像の輪郭部分であるエッジを抽出し、その抽出された輪郭部分であるエッジを結線、及び強調処理を行い、図５に示す画像の輪郭部分のみからなるエッジ枠画像４２をＬＣＤ１７に表示させる。
【００４０】
このエッジ枠画像４２がＬＣＤ１７に表示されると、ＣＰＵ１０は、塗り絵機能部２２とユーザ色指定部２１を駆動させて、エッジ枠画像４２の輪郭部分以外の領域に着色する塗り絵処理を実行させための図６に示す塗り絵画像４３を表示させる（ステップＳ１７）。
【００４１】
この塗り絵画像４３は、前記ステップＳ１６において抽出して表示したエッジ枠画像４２に、輪郭部分以外の領域に着色する複数の色情報を有する色情報パレット４４を表示させる。この色情報パレット４４は、ユーザ色指定部２１に保有している複数の色情報データをパレット形式に表示させたものである。
【００４２】
この塗り絵画像４３のうち輪郭部分により囲まれた着色領域、例えば、塗り絵画像４３の空の領域の部分を示す着色領域４３Ａを指定し、かつ、その着色領域４３Ａに着色する好みの色を色情報パレット４４から選択入力する。この着色領域４３Ａと着色する色の選択指定により、選択した着色領域に選択した色により着色が行われる。このように、エッジ枠画像４２の中から順次着色領域、例えば、山と山裾の部分、人物の上・下の洋服部分等の着色領域毎に着色させる色を指定することにより塗り絵処理を行い、原画像４１と同一構図において色の異なる静止画像の編集が可能となる。
【００４３】
このステップＳ１７において、塗り絵処理された編集済み静止画像のデータは、メモリカード１４に記憶保存する。
【００４４】
このように、撮像した原静止画像の輪郭部分を抽出して強調処理することでメリハリのある画像とすることができ、その輪郭部分により囲まれた領域に色ノイズがある場合には、その領域の位置に色情報パレットから選択した色に着色することで色ノイズのない画像に編集することができ、更に、例えば、静止画像中の背景色や、人物の洋服の色を変えることにより原画像と異なる趣の静止画像を遊び感覚で生成することができる。
【００４５】
また、アパレル業界等においては、顧客の要望に応じて、上下の洋服の色の組合せを変えて、顧客に好適な色の組合せを見つけることもできる。
【００４６】
なお、ＬＣＤ１７の表面には、タッチパネルを設け、ＬＣＤ１７に表示された静止画像、各種操作モード表示、エッジ枠画像、及び色情報パレット等を先端が比較的細く形成されたポインタを用いてタッチすることで選択指示できるようにしたり、あるいは、ＬＣＤ１７にカーソルを表示させて、そのカーソルを操作して選択指示するようにしても良い。
【００４７】
次に、ユーザ色指定部２１の他の処理について説明する。このユーザ色指定部２１は、前述した色情報パレット４４から着色領域に着色させる色を選択する機能の他に、色情報パレット４４にない色情報の取り込み記憶処理が可能となっている。一般的に色情報パレット４４に表示される色の種類は、事前に設定登録されている比較的原色に近い色に限られている。そのために、着色する色に限度がある。しかし、世の中には、情景に応じて変化に富んだ色が存在する。そこで、それら情景を撮像し、その情景の所望の色情報を取り込み、色情報パレット４４の色情報データとして記憶させる。
【００４８】
この情景に含まれる色を色情報として取り込み、色情報パレット４４に追加記憶させる処理について、図３を用いて説明する。
【００４９】
上述したように、ある情景の静止画像を撮影し、その静止画像のある領域の色を取り込む場合に、前述したステップＳ１１からＳ１３において処理されたと同様に、複数の静止画像から色情報を取り込む静止画像を選択して表示させ、その選択して表示された静止画図像の画像編集モードの選定行う。
【００５０】
この画像編集モードから、ＣＰＵ１０によりユーザ色指定部２１の駆動を制御して、ユーザ指定色抽出モードを駆動させる（ステップＳ２１）。このステップＳ２１のユーザ指定色抽出モードは、ＬＣＤ１７に表示されている、例えば、図４に示す撮像静止画像４１の中から取り込み色を有する領域に、色取り込み枠４５を表示させる。この色取り込み枠４５は、取り込み色の色情報を採取するための情報量が得られる縦横所定の画像数を有する矩形枠を設定する。この色取り込み枠４５に、取り囲まれた領域の撮像データから色情報を抽出する。つまり、色情報を採取するための色取り込み枠４５を表示させる採取位置表示手段と、その色取り込み枠４５の位置の撮像データから色情報を取り込み記憶する色情報取り込み手段を有している。
【００５１】
このステップＳ２１のユーザ指定色抽出モードにおいて、抽出した色情報を色情報パレット４４の色情報データとして追加格納させる（ステップＳ２２）。この色情報パレット４５への色情報データの追加保存されたことが確認される（ステップＳ２３）と、このユーザ指定色抽出モードを終了する（ステップＳ２４）。
【００５２】
これにより、撮影した静止画像の中からデジタルカメラ１０に事前設定されていない色情報の取り込み記憶が行え、その取り込んだ色情報を用いて静止画像の編集を行うことができる。
【００５３】
以上説明したように、本発明のデジタルカメラ１０は、撮影済みの静止画像から塗り絵処理を行う静止画像を選択し、その選択した静止画像の輪郭部分のみのエッジ枠画像４２と色情報パレット４４を表示させて、そのエッジ枠画像４２の着色する領域と着色する色を選択することで、好みの領域を好みの色に着色できる。また、色は、静止画像のある領域の色情報を取り込むことにより事前に設定された色情報以外の色情報を記憶させることにより、豊富な色情報を生成することも可能となる。
【図面の簡単な説明】
【００５４】
【図１】本発明の一実施形態である撮像装置の構成を示すブロック図。
【図２】本発明の一実施形態である撮像装置の塗り絵処理動作を説明するフローチャート。
【図３】本発明の一実施形態である撮像装置の色彩情報の取り込み処理動作を説明するフローチャート。
【図４】本発明の一実施形態である撮像装置において、編集対象の静止画像を説明する説明図。
【図５】本発明の一実施形態である撮像装置において、編集対象の静止画像の輪郭部分のみのエッジ枠画像を説明する説明図。
【図６】本発明の一実施形態である撮像装置において、塗り絵画像を説明する説明図。
【符号の説明】
【００５５】
１０  デジタル電子スチールカメラ（デジタルカメラ）、１１  カメラ信号処理部、１２  ＪＰＥＧ／ＭＰＥＧ部、１３  メモリ、１４  メモリカード、１５  ビデオ信号処理部、１６  ＬＣＤドライバー、１７  液晶表示パネル（ＬＣＤ）、１８  ＴＶモニタ、１９  マイクロプロセッサ（ＣＰＵ）、２０  エッジ抽出部、２１  ユーザ色指定部、２２  塗り絵機能部  。
【００５６】
代理人  弁理士  伊藤  進
【図１】
2006074602.tif 000003
【図２】
2006074602.tif 000004
【図３】
2006074602.tif 000005
【図４】
2006074602.tif 000006
【図５】
2006074602.tif 000007
【図６】
2006074602.tif 000008